(57)【要約】【課題】ハウジングに対する固定部材の接着強度を向上させたピックアップ装置を構成する。【解決手段】光検出器１０が取り付けられる固定部材２０と、固定部材２０が装備されるハウジング１００と、ハウジング１００に固定部材２０を固着させる紫外線硬化型接着剤２とを備えるピックアップ装置１に関する。固定部材２０に対応した部品取付部１２０がハウジング１００に設けられ、紫外線硬化型接着剤２が流入可能とされると共に接着強度を向上可能とさせる蟻溝１２２が部品取付部１２０に設けられ、蟻溝１２２内から固定部材２０にかけて紫外線硬化型接着剤２が塗布され、紫外線硬化型接着剤２が固化することで、ハウジング１００に固定部材２０が装着された。これにより、光検出器１０が取り付けられた固定部材２０は、ハウジング１００の部品取付部１２０に確実に固着される。【選択図】図１
2007042168.tif 000002
【特許請求の範囲】
【請求項１】
電子部品が取り付けられる固定部材と、
該固定部材が装備されるハウジングと、
該ハウジングに該固定部材を固着させる接着剤と
を備え、
該固定部材に対応した部品取付部が該ハウジングに設けられ、
該接着剤が流入可能とされると共に接着強度を向上可能とさせる溝が該部品取付部に設けられ、
該溝内から該固定部材にかけて該接着剤が塗布され、該接着剤が固化することで、該ハウジングに該固定部材が装着されたことを特徴とするピックアップ装置。
【請求項２】
前記溝は、蟻溝として形成されたことを特徴とする請求項１に記載のピックアップ装置。
【請求項３】
前記溝は、前記接着剤が流入可能な溝開口部から該溝の行き止りとされる溝底部にかけて形成されると共に、該溝底部から該溝開口部にかけてすぼめられる傾斜溝側部が、該溝に設けられたことを特徴とする請求項１又は２に記載のピックアップ装置。
【請求項４】
前記溝は、前記接着剤が流入可能な溝開口部から該溝の行き止りとされる溝底部にかけて形成されると共に、該溝底部は、該溝開口部よりも広く形成され、前記固定部材は、該溝開口部側に位置することを特徴とする請求項１〜３の何れか１項に記載のピックアップ装置。
【請求項５】
前記電子部品として、メディアから反射された光を受光する光検出器が用いられたことを特徴とする請求項１〜４の何れか１項に記載のピックアップ装置。
【請求項６】
前記接着剤として、紫外線が照射されることで硬化する紫外線硬化型接着剤が用いられたことを特徴とする請求項１〜５の何れか１項に記載のピックアップ装置。
【発明の詳細な説明】
【技術分野】
【０００１】
本発明は、ディスク等のメディアに記録されたデータを再生させることや、ディスク等のメディアにデータを記録させることが可能なピックアップ装置に関するものである。
【背景技術】
【０００２】
図３は、従来のピックアップ装置の一形態を示す斜視図、図４は、従来のピックアップ装置を示す平面図である。
【０００３】
光ピックアップ装置５０１が用いられて、メディア（図示せず）における情報などのデータの再生または記録が行われる。メディアとして、例えば、ＣＤ（Compact Disc）や、ＤＶＤ（Digital Versatile Disc）等の光ディスクが挙げられる（何れも図示せず）。
【０００４】
この光ピックアップ装置５０１は、各種部品が装着されるハウジング６００と、ハウジング６００に対し中空状態に位置するレンズホルダ５６０と、レンズホルダ５６０を上下左右に駆動させるサーボ機構５０５とを備えて構成されている。サーボ機構とは、制御の対象とされるものの状態を測定し、測定したものと基準値とを比較して、自動的に修正制御を行わせる機構のものを意味する。レンズホルダ５６０に、レーザ光を絞るための対物レンズ５５０が取り付けられている。対物レンズ５５０により絞られたレーザ光は、データが記録される不図示の光ディスクに照射される。
【０００５】
また、ハウジング６００に光検出器５１０すなわちＰＤＩＣ（photo diode IC）５１０が装備されている。ＰＤＩＣ５１０は、不図示の光ディスクからの反射光を受光して、この受光量に比例した受光電流を生成する。この受光電流は、検出信号とされる。ＰＤＩＣ５１０は、レーザ光を受けて、その信号を電気信号に変えて、光ピックアップ装置５０１のレンズホルダ５６０（図示せず）のサーボ機構５０５（図示せず）を動作させるための信号を出力する。また、ＰＤＩＣ５１０は、光ディスクから反射されたレーザ光を受けて、その信号を電気信号に変え、光ディスクに記録された情報を検出する。
【０００６】
ハウジング６００にＰＤＩＣ５１０などの電子部品５１０を装備させる方法として、例えば、ＰＤＩＣ５１０などを備えるアルミニウム製の板状固定板５２０を、ハウジング６００に接着させる方法などが挙げられる。ＰＤＩＣ５１０を備えるアルミニウム板がハウジング６００の部品取付部６２０に接着されたのちに、接着強度を測定するために接着部の剥離試験が行われる。
【０００７】
また、前記従来のもの以外に、例えば製作費が安くされ、温度変化や振動などの過酷な状況に耐えて、フォトダイオードなどの電子部品付きプレートの位置決め固定状態を確実に維持させることが可能な光ピックアップと電子部品付きプレートの固定方法というものがある（例えば、特許文献１参照。）。
【特許文献１】特開２００２−３５２４４５号公報（第３頁、第１図）
【発明の開示】
【発明が解決しようとする課題】
【０００８】
しかしながら、上記従来の光ピックアップ装置５０１にあっては、ハウジング６００の部品取付部６２０が平面形状とされているため、ハウジング６００の部品取付部６２０に接着されたアルミニウム製の板状固定板５２０をハウジング６００から引き剥がすという剥離試験が行われたときに、接着部の接着強度が弱いという測定結果が出されることがあった。接着剤５０２が塗布されるハウジング６００の部品取付部６２０の表面６２１は、
平面状に形成されているため、光ピックアップ装置５０１の接着部の剥離試験を行うと、接着剤５０２全体がアルミニウム製の板状固定板５２０に固着した状態で剥離が生じ、ハウジング６００の部品取付部６２０に接着剤５０２が残されることは少なかった。
【０００９】
また、剥離試験にて低い接着強度が測定された光ピックアップ装置５０１と同種の光ピックアップ装置５０１の衝撃試験が行われた場合、ハウジング６００から容易くＰＤＩＣ５１０付の固定板５２０が剥がれ落ちることがあった。このように、光ピックアップ装置５０１の衝撃試験が行われたときに、ハウジング６００に対する固定板５２０の接着強度が弱いという問題が生じていた。
【００１０】
本発明は、上記した問題点を解決することにある。本発明は、上記した点に鑑み、ハウジングに対する固定部材の接着強度を向上させたピックアップ装置を提供することを目的とする。
【課題を解決するための手段】
【００１１】
上記目的を達成するために、本発明の請求項１に係るピックアップ装置は、電子部品が取り付けられる固定部材と、該固定部材が装備されるハウジングと、該ハウジングに該固定部材を固着させる接着剤とを備え、該固定部材に対応した部品取付部が該ハウジングに設けられ、該接着剤が流入可能とされると共に接着強度を向上可能とさせる溝が該部品取付部に設けられ、該溝内から該固定部材にかけて該接着剤が塗布され、該接着剤が固化することで、該ハウジングに該固定部材が装着されたことを特徴とする。
【００１２】
上記構成により、電子部品が取り付けられた固定部材は、ハウジングの部品取付部に確実に固着される。電子部品を備える固定部材がハウジングの部品取付部に装着されるときに、ハウジングの部品取付部の溝内から固定部材にかけて接着剤が塗布される。ハウジングの部品取付部の溝内から固定部材にかけて塗布された接着剤が固化することで、ハウジングに固定部材が固着される。また、接着剤は、ハウジングの部品取付部の溝内に流れ込んだ状態で固化する。部品取付部の溝内で接着剤が固化することにより、ハウジングの部品取付部と、固定部材とを繋ぐ接着剤の接着強度が向上する。従って、ハウジングに対し固定部材の接着強度が向上されたピックアップ装置の提供が可能となる。
【００１３】
請求項２に係るピックアップ装置は、請求項１に記載のピックアップ装置において、前記溝は、蟻溝（ありみぞ）として形成されたことを特徴とする。
【００１４】
上記構成により、ハウジングの部品取付部に対する固定部材の接着強度は向上する。蟻溝とは、例えば入口よりも内部が広い溝を意味する。ハウジングの部品取付部に、蟻溝が形成されていれば、蟻溝内に流入されて固化した接着剤は、蟻溝内から抜け出され難くなる。ハウジングの部品取付部に形成された蟻溝内から接着剤が抜け出され難くなるので、ハウジングの部品取付部に対する固定部材の接着強度は向上する。ハウジングの部品取付部に接着剤が流入可能な蟻溝が形成されることにより、従来の如く、ハウジングの部品取付部の表面部から接着剤全体が剥がされるということは回避される。ハウジングの部品取付部から固定部材が引き剥がされるときに、ハウジングの部品取付部の溝内から固定部材にかけて塗着固化された接着剤の途中の部分から割れが生じる。このような状態の剥離は、ハウジングの部品取付部に対する固定部材の接着強度が向上されたときに生じる。このように、ハウジングの部品取付部に接着剤が流入可能な蟻溝が形成されることにより、ハウジングの部品取付部に対し、電子部品を備えた固定部材の接着強度は向上する。
【００１５】
請求項３に係るピックアップ装置は、請求項１又は２に記載のピックアップ装置において、前記溝は、前記接着剤が流入可能な溝開口部から該溝の行き止りとされる溝底部にかけて形成されると共に、該溝底部から該溝開口部にかけてすぼめられる傾斜溝側部が、該
溝に設けられたことを特徴とする。
【００１６】
上記構成により、ハウジングの部品取付部に対する固定部材の接着強度は、確実に向上する。溝底部から溝開口部にかけてすぼめられる傾斜溝側部が溝に設けられているので、ハウジングの部品取付部から固定部材を引き剥がそうとする力が加えられたり、ピックアップ装置に衝撃が加えられたりすることがあっても、従来の如く、ハウジングの部品取付部の表面部から接着剤全体が剥がされるということは回避される。ハウジングの部品取付部の溝内で固化した接着剤は、溝の傾斜溝側部により係り止められ、溝内で固化した接着剤は、ハウジングの部品取付部の溝から抜け出され難くなる。これにより、ハウジングの部品取付部と、固定部材とを繋ぐ接着剤の接着強度が向上する。
【００１７】
請求項４に係るピックアップ装置は、請求項１〜３の何れか１項に記載のピックアップ装置において、前記溝は、前記接着剤が流入可能な溝開口部から該溝の行き止りとされる溝底部にかけて形成されると共に、該溝底部は、該溝開口部よりも広く形成され、前記固定部材は、該溝開口部側に位置することを特徴とする。
【００１８】
上記構成により、電子部品を備える固定部材は、接着剤によってハウジングの部品取付部に確実に固着される。部品取付部の溝底部は、溝開口部よりも広く形成されているので、溝内に流入されて固化した接着剤は、溝内から抜け出され難くなる。ハウジングの部品取付部に形成された溝内から接着剤が抜け出され難くなるので、ハウジングの部品取付部の溝内から部品取付部の溝開口部側に位置する固定部材まで塗着固化された接着剤の接着強度は向上する。従って、ハウジングに対する固定部材の接着強度を向上させたピックアップ装置の提供が可能となる。
【００１９】
請求項５に係るピックアップ装置は、請求項１〜４の何れか１項に記載のピックアップ装置において、前記電子部品として、メディアから反射された光を受光する光検出器が用いられたことを特徴とする。
【００２０】
上記構成により、光検出器は、固定部材を介して確実にハウジングに装備される。光検出器は、メディアからの反射光を受光して、この受光量に比例した受光電流を生成するものとされている。受光電流は、検出信号とされる。光検出器は、光を受けて、その信号を電気信号に変えて、ピックアップ装置のレンズホルダのサーボ機構を動作させるための信号を出力する。また、光検出器は、メディアから反射された光を受けて、その信号を電気信号に変え、メディアに記録された情報を検出する。また、サーボもしくはサーボ機構とは、制御の対象とされるものの状態を測定し、測定したものと基準値とを比較して、自動的に修正制御を行わせる機構のもの等を意味する。光検出器が取り付けられた固定部材は、確実にハウジングに接着されているので、例えば、ピックアップ装置にある程度の衝撃が加えられることがあっても、光検出器を備える固定部材がハウジングから剥がれ落ちるという不具合の発生は、回避され易くなる。従って、ある程度の衝撃に強いピックアップ装置の提供が可能となる。
【００２１】
請求項６に係るピックアップ装置は、請求項１〜５の何れか１項に記載のピックアップ装置において、前記接着剤として、紫外線が照射されることで硬化する紫外線硬化型接着剤が用いられたことを特徴とする。
【００２２】
上記構成により、電子部品を備える固定部材は、確実にハウジングの部品取付部に接着される。紫外線硬化型接着剤は、塗布された接着剤に紫外線が照射されると硬化するものとされている。電子部品を備える固定部材がハウジングに装備されるときに、紫外線硬化型接着剤が用いられていれば、接着剤の固化は迅速に行われる。例えば、固化に時間がかかる接着剤が用いられて、電子部品を備える固定部材がハウジングに装着される場合、時
間の経過と共に接着剤が塗布部から流れ落ちて接着不良部が生じ、これが原因で、ハウジングに対する固定部材の接着強度が低下することが心配される。しかしながら、紫外線硬化型接着剤が用いられて接着作業が行われた場合、接着剤に紫外線が照射されることにより、接着剤は迅速に固化する。従って、接着不良の発生が回避されたピックアップ装置の提供が可能となる。
【発明の効果】
【００２３】
以上の如く、請求項１に記載の発明によれば、電子部品が取り付けられた固定部材は、ハウジングの部品取付部に確実に固着される。電子部品を備える固定部材がハウジングの部品取付部に装着されるときに、ハウジングの部品取付部の溝内から固定部材にかけて接着剤が塗布される。ハウジングの部品取付部の溝内から固定部材にかけて塗布された接着剤が固化することで、ハウジングに固定部材が固着される。また、接着剤は、ハウジングの部品取付部の溝内に流れ込んだ状態で固化する。部品取付部の溝内で接着剤が固化することにより、ハウジングの部品取付部と、固定部材とを繋ぐ接着剤の接着強度が向上する。従って、ハウジングに対し固定部材の接着強度が向上されたピックアップ装置を提供することができる。
【００２４】
請求項２に記載の発明によれば、ハウジングの部品取付部に対する固定部材の接着強度は向上する。ハウジングの部品取付部に、蟻溝が形成されていれば、蟻溝内に流入されて固化した接着剤は、蟻溝内から抜け出され難くなる。ハウジングの部品取付部に形成された蟻溝内から接着剤が抜け出され難くなるので、ハウジングの部品取付部に対する固定部材の接着強度は向上する。ハウジングの部品取付部に接着剤が流入可能な蟻溝が形成されることにより、従来の如く、ハウジングの部品取付部の表面部から接着剤全体が剥がされるということは回避される。ハウジングの部品取付部から固定部材が引き剥がされるときに、ハウジングの部品取付部の溝内から固定部材にかけて塗着固化された接着剤の途中の部分から割れが生じる。このような状態の剥離は、ハウジングの部品取付部に対する固定部材の接着強度が向上されたときに生じる。このように、ハウジングの部品取付部に接着剤が流入可能な蟻溝が形成されることにより、ハウジングの部品取付部に対し、電子部品を備えた固定部材の接着強度を向上させることができる。
【００２５】
請求項３に記載の発明によれば、ハウジングの部品取付部に対する固定部材の接着強度は、確実に向上する。溝底部から溝開口部にかけてすぼめられる傾斜溝側部が溝に設けられているので、ハウジングの部品取付部から固定部材を引き剥がそうとする力が加えられたり、ピックアップ装置に衝撃が加えられたりすることがあっても、従来の如く、ハウジングの部品取付部の表面部から接着剤全体が剥がされるということは回避される。ハウジングの部品取付部の溝内で固化した接着剤は、溝の傾斜溝側部により係り止められ、溝内で固化した接着剤は、ハウジングの部品取付部の溝から抜け出され難くなる。これにより、ハウジングの部品取付部と、固定部材とを繋ぐ接着剤の接着強度を向上させることができる。
【００２６】
請求項４に記載の発明によれば、電子部品を備える固定部材は、接着剤によってハウジングの部品取付部に確実に固着される。部品取付部の溝底部は、溝開口部よりも広く形成されているので、溝内に流入されて固化した接着剤は、溝内から抜け出され難くなる。ハウジングの部品取付部に形成された溝内から接着剤が抜け出され難くなるので、ハウジングの部品取付部の溝内から部品取付部の溝開口部側に位置する固定部材まで塗着固化された接着剤の接着強度は向上する。従って、ハウジングに対する固定部材の接着強度を向上させたピックアップ装置を提供することができる。
【００２７】
請求項５に記載の発明によれば、光検出器は、固定部材を介して確実にハウジングに装備される。光検出器が取り付けられた固定部材は、確実にハウジングに接着されているの
で、例えば、ピックアップ装置にある程度の衝撃が加えられることがあっても、光検出器を備える固定部材がハウジングから剥がれ落ちるという不具合の発生は、回避され易くなる。従って、ある程度の衝撃に強いピックアップ装置を提供することができる。
【００２８】
請求項６に記載の発明によれば、電子部品を備える固定部材は、確実にハウジングの部品取付部に接着される。電子部品を備える固定部材がハウジングに装備されるときに、紫外線硬化型接着剤が用いられていれば、接着剤の固化は迅速に行われる。例えば、固化に時間がかかる接着剤が用いられて、電子部品を備える固定部材がハウジングに装着される場合、時間の経過と共に接着剤が塗布部から流れ落ちて接着不良部が生じ、これが原因で、ハウジングに対する固定部材の接着強度が低下することが心配される。しかしながら、紫外線硬化型接着剤が用いられて接着作業が行われた場合、接着剤に紫外線が照射されることにより、接着剤は迅速に固化する。従って、接着不良の発生が回避されたピックアップ装置を提供することができる。
【発明を実施するための最良の形態】
【００２９】
以下に本発明に係るピックアップ装置の一実施の形態を図面に基づいて詳細に説明する。
【００３０】
図１は、本発明に係るピックアップ装置の一実施の形態を示す拡大斜視図、図２は、ピックアップ装置を示す平面図である。
【００３１】
この光ピックアップ装置１は、ＣＤ系列の光ディスクや、ＤＶＤ系列の光ディスクなどの各種光ディスク／メディアに対応可能とされている（何れも図示せず）。光ピックアップ装置１が用いられて、光ディスクにおける情報などのデータの再生または記録が行われる。また、この光ピックアップ装置１は、光ディスク装置（図示せず）に装備されて用いられる。
【００３２】
図２の如く、この光ピックアップ装置１は、各種部品が装着されるハウジング１００と、ハウジング１００に対し中空状態に位置するレンズホルダ６０と、レンズホルダ６０を上下左右に駆動させるサーボ機構５とを備えて構成されている。レンズホルダ６０に、レーザ光を絞るための対物レンズ５０が取り付けられている。対物レンズ５０により絞られたレーザ光は、データが記録される不図示の光ディスクに照射される。
【００３３】
また、この光ピックアップ装置１（図１，図２）は、電気／電子部品１０が取り付けられる固定部材２０と、固定部材２０が装備されるハウジング１００と、ハウジング１００に固定部材２０を固着させる接着剤２とを備えるものとして構成されている。固定部材２０として、略矩形平板状のアルミニウム製固定板２０が用いられている。
【００３４】
略矩形平板状の固定板２０に対応して、略矩形平板状の部品取付部１２０がハウジング１００に設けられている。また、接着剤２が流入して固着可能とされると共に接着強度を向上可能とさせる溝１２２が、ハウジング１００の部品取付部１２０に設けられている。ハウジング１００の部品取付部１２０の溝１２２内から固定板２０にかけて接着剤２が塗布され、接着剤２が固化することで、ハウジング１００に固定板２０が装着されている。または、固定板２０からハウジング１００の部品取付部１２０の溝１２２内にかけて接着剤２が塗布され、接着剤２が固化することで、ハウジング１００に固定板２０が装着されている。
【００３５】
接着剤２が流入して固着可能とされると共に接着強度を向上可能とさせる溝１２２が、ハウジング１００の部品取付部１２０に設けられていれば、電子部品１０が取り付けられた固定板２０は、ハウジング１００の部品取付部１２０に確実に固着される。
【００３６】
電子部品１０を備える固定板２０が、ハウジング１００の部品取付部１２０に装着されるときに、ハウジング１００の部品取付部１２０の溝１２２内から固定板２０にかけて接着剤２が塗布される。ハウジング１００の部品取付部１２０の溝１２２内から固定板２０にかけて塗布された接着剤２が固化することで、ハウジング１００に固定板２０が固着される。
【００３７】
また、接着剤２は、ハウジング１００の部品取付部１２０の溝１２２内に流れ込んだ状態で固化する。部品取付部１２０の溝１２２内で接着剤２が固化することにより、ハウジング１００の部品取付部１２０と、固定板２０とを繋ぐ接着剤２の接着強度が向上する。従って、ハウジング１００に対し固定板２０の接着強度が向上された光ピックアップ装置１を、光ピックアップ装置１の組付けを行うディスク装置組立メーカ等に提供することができる。
【００３８】
ハウジング１００の部品取付部１２０に設けられた溝１２２は、蟻溝（ありみぞ）１２２として形成されている。蟻溝（あり溝）とは、例えば入口よりも内部が広い溝を意味する。ハウジング１００の部品取付部１２０に、接着剤２が流入して固着可能とされると共に接着強度を向上可能とさせる蟻溝１２２が設けられて、ハウジング１００の部品取付部１２０の形状は、接着剤２がハウジング１００の部品取付部１２０から容易に剥がされない形状とされている。
【００３９】
これにより、ハウジング１００の部品取付部１２０に対する固定板２０の接着強度は向上する。ハウジング１００の部品取付部１２０に、蟻溝１２２が形成されていれば、蟻溝１２２内に流入されて固化した接着剤２は、蟻溝１２２内から抜け出され難くなる。ハウジング１００の部品取付部１２０に形成された蟻溝１２２内から接着剤２が抜け出され難くなるので、ハウジング１００の部品取付部１２０に対する固定板２０の接着強度は向上する。ハウジング１００の部品取付部１２０に接着剤２が流入して固着可能な蟻溝１２２が形成されることにより、従来の如く、ハウジング６００（図３，図４）の部品取付部６２０の表面部６２１から接着剤５０２全体が剥がされるということは回避される。
【００４０】
ハウジング１００（図１，図２）の部品取付部１２０に対する固定板２０の接着強度を調べるために、例えば、ハウジング１００の部品取付部１２０に接着された固定板２０をハウジング１００から引き剥がすという剥離試験が行われる。ハウジング１００の部品取付部１２０から固定板２０が引き剥がされるときに、ハウジング１００の部品取付部１２０の溝１２２内から固定板２０にかけて塗着固化された接着剤２の途中の部分から割れが生じる。このような状態の剥離は、ハウジング１００の部品取付部１２０に対する固定板２０の接着強度が向上されたときに生じる。このように、ハウジング１００の部品取付部１２０に接着剤２が流入して固着可能な蟻溝１２２が形成されることにより、ハウジング１００の部品取付部１２０に対し、電子部品１０を備えた固定板２０の接着強度は向上する。
【００４１】
ハウジング１００の部品取付部１２０に設けられた複数の溝１２２は、接着剤２が流入可能な溝開口部１２２ａから溝１２２の行き止りとされる溝底部１２２ｂにかけて形成されている。また、溝底部１２２ｂから溝開口部１２２ａにかけてすぼめられる一対の傾斜溝側部１２２ｃ，１２２ｃが、溝１２２に設けられている。
【００４２】
これにより、ハウジング１００（図１，図２）の部品取付部１２０に対する固定板２０の接着強度は、確実に向上する。溝底部１２２ｂから溝開口部１２２ａにかけてすぼめられる一対の傾斜溝側部１２２ｃ，１２２ｃが溝１２２に設けられているので、ハウジング１００の部品取付部１２０から固定板２０を引き剥がそうとする力が加えられたり、光ピ
ックアップ装置１に衝撃が加えられたりすることがあっても、従来の如く、ハウジング６００（図３，図４）の部品取付部６２０の表面部６２１から接着剤５０２全体が剥がされるということは回避される。
【００４３】
ハウジング１００（図１，図２）の部品取付部１２０の溝１２２内で固化した接着剤２は、溝１２２を構成する一対の傾斜溝側部１２２ｃ，１２２ｃにより係り止められ、溝１２２内で固化した接着剤２は、ハウジング１００の部品取付部１２０の溝１２２から抜け出され難くなる。これにより、ハウジング１００の部品取付部１２０と、固定板２０とを繋ぐ接着剤２の接着強度が向上する。
【００４４】
ハウジング１００の部品取付部１２０の四隅近傍に設けられた四つの溝１２２は、接着剤２が流入可能な溝開口部１２２ａから溝１２２の行き止りとされる溝底部１２２ｂにかけて形成されている。溝底部１２２ｂは、溝開口部１２２ａよりも広く形成されている。即ち、溝開口部１２２ａは、溝底部１２２ｂよりも狭く形成されている。
【００４５】
図２の如く、光ピックアップ装置１が平面視されたときに、ハウジング１００の部品取付部１２０に設けられた溝１２２は、略台形の溝１２２として形成されている。光ピックアップ装置１が平面視されたときに、ハウジング１００の部品取付部１２０に設けられた溝１２２は、例えば、溝開口部１２２ａを上底とし、溝底部１２２ｂを下底とした略台形状に形成されている。
【００４６】
ハウジング１００（図１，図２）の部品取付部１２０に対して固定板２０の位置合せが行われたときに、固定板２０は、部品取付部１２０の溝開口部１２２ａ側に位置するものとされている。
【００４７】
これにより、電子部品１０を備える固定板２０は、接着剤２によってハウジング１００の部品取付部１２０に確実に固着される。部品取付部１２０の溝底部１２２ｂは、溝開口部１２２ａよりも広く形成されているので、溝１２２内に流入されて固化した接着剤２は、溝１２２内から抜け出され難くなる。ハウジング１００の部品取付部１２０に形成された溝１２２内から接着剤２が抜け出され難くなるので、ハウジング１００の部品取付部１２０の溝１２２内から部品取付部１２０の溝開口部１２２ａ側に位置する固定板２０まで塗着固化された接着剤２の接着強度は向上する。従って、ハウジング１００に対する固定板２０の接着強度を向上させた光ピックアップ装置１を、光ピックアップ装置１の組付けを行うディスク装置組立メーカ等に提供することができる。
【００４８】
ハウジング１００の部品取付部１２０に固定板２０が位置合せされたのちに、略矩形平板状の部品取付部１２０の角部１２４近傍に設けられた溝１２２内から、略矩形平板状の固定板２０の角に設けられた略湾曲状の切欠き部２２にかけて、接着剤２が例えば橋かけ状に塗布される。ハウジング１００の部品取付部１２０に設けられた四つの溝１２２と、固定板２０に設けられた四つの切欠き部２２とに対応して、接着剤２が四箇所塗布される（図１）。ハウジング１００（図１，図２）の部品取付部１２０の溝１２２内から固定板２０の切欠き部２２にかけて橋かけ状に塗布された接着剤２が固化することで、ハウジング１００の部品取付部１２０に固定板２０が装着される。
【００４９】
電子部品１０として、光ディスク（図示せず）から反射されたレーザ光のうち一部のレーザ光を受光する光検出器１０が用いられている。
【００５０】
光検出器１０は、固定板２０を介して確実にハウジング１００に装備される。光検出器１０は、光ディスクからの反射光の一部を受光して、この受光量に比例した受光電流を生成するものとされている。受光電流は、検出信号とされる。光検出器１０は、レーザ光を
受けて、その信号を電気信号に変えて、光ピックアップ装置１のレンズホルダ６０（図２）のサーボ機構５を動作させるための信号を出力する。また、光検出器１０（図１，図２）は、光ディスクから反射されたレーザ光を受けて、その信号を電気信号に変え、光ディスクに記録された情報を検出する。光検出器は、ＰＤＩＣ（photo diode IC）等と呼ばれている。また、上述した如く、サーボもしくはサーボ機構とは、制御の対象とされるものの状態を測定し、測定したものと基準値とを比較して、自動的に修正制御を行わせる機構のもの等を意味する。
【００５１】
光検出器１０が取り付けられた固定板２０は、接着剤２によって確実にハウジング１００に接着固定されているので、例えば、光ピックアップ装置１にある程度の衝撃が加えられることがあっても、光検出器１０を備える固定板２０がハウジング１００から剥がれ落ちるという不具合の発生は、回避され易くなる。従って、ある程度の衝撃に強い光ピックアップ装置１を、光ピックアップ装置１の組付けを行うディスク装置組立メーカ等に提供することができる。
【００５２】
接着剤２として、紫外線が照射されることで硬化する紫外線硬化型接着剤２が用いられた。
【００５３】
紫外線硬化型接着剤２が用いられることにより、光検出器１０を備える固定板２０は、迅速で精度よく確実にハウジング１００の部品取付部１２０に接着される。紫外線硬化型接着剤２は、塗布された接着剤２に紫外線が照射されると硬化するものとされている。光検出器１０を備える固定板２０がハウジング１００に装備されるときに、紫外線硬化型接着剤２が用いられていれば、接着剤２の固化は迅速に行われる。
【００５４】
例えば、固化に非常に時間がかかる接着剤（２）が用いられて、光検出器１０を備える固定板２０がハウジング１００に装着される場合、時間の経過と共に接着剤（２）が塗布部から流れ落ちて接着不良部が生じ、これが原因で、ハウジング１００に対する固定板２０の接着強度が低下することが心配される。しかしながら、紫外線硬化型接着剤２が用いられて接着作業が行われた場合、接着剤２に紫外線が照射されることにより、接着剤２は迅速に固化する。従って、接着不良の発生が回避された光ピックアップ装置１を、光ピックアップ装置１の組付けを行うディスク装置組立メーカ等に提供することができる。
【００５５】
また、接着剤２の固化が迅速に行われることにより、接着剤２が硬化する過程で、ハウジング１００の部品取付部１２０に対し、光検出器１０を備える固定板２０に位置ずれが生じるということは回避される。光検出器１０が取り付けられた固定板２０は、迅速に固化した紫外線硬化型接着剤２により、正確にハウジング１００の部品取付部１２０に装着される。
【００５６】
光硬化型接着剤の一種とされる紫外線硬化型接着剤として、例えば、米国ＥＭＩ社製：商品名「ＯＰＴＯＣＡＳＴ」シリーズのもの等が挙げられる。具体的な紫外線硬化型接着剤としては、米国ＥＭＩ社製：ＯＰＴＯＣＡＳＴ３４００，ＯＰＴＯＣＡＳＴ３４１５等が挙げられる。ＯＰＴＯＣＡＳＴ３４００，ＯＰＴＯＣＡＳＴ３４１５等の紫外線硬化型接着剤は、エポキシ系の接着剤とされ、一液性の紫外線硬化型接着剤とされている。エポキシ系の紫外線硬化型接着剤は、低収縮性で高耐熱性のものとされ、耐薬品性、耐湿性に優れるものとされている。一液性の紫外線硬化型接着剤が用いられることにより、二液性の紫外線硬化型接着剤が使用されるときに行われる液と液との混合作業が不要となる。従って、接着剤の塗布工程は、迅速で効率的に行われる。
【００５７】
また、光硬化型接着剤の一種とされる紫外線硬化型接着剤として、例えば、米国ＮＯＲＬＡＮＤ社製：光学ＵＶ接着剤ＮＯＡ６０，ＮＯＡ８３Ｈ，ＮＯＡ８８等が挙げられる。
光学ＵＶ接着剤ＮＯＡ６０，ＮＯＡ８３Ｈ，ＮＯＡ８８等の紫外線硬化型接着剤は、アクリル系の接着剤とされ、一液性の紫外線硬化型接着剤とされている。アクリル系の紫外線硬化型接着剤は、硬化時間が短く数秒単位で硬化可能なものとされている。「ＵＶ」とは、「ultraviolet 」を意味する。また、「ultraviolet radiation 」は、「紫外線」を意味する。紫外線硬化型接着剤は、ＵＶ硬化型接着剤などと呼ばれている。光ピックアップ装置の設計仕様などにより、例えば二液性の紫外線硬化型接着剤が用いられて接着工程が行われたものも使用可能とされる。二液性の紫外線硬化型接着剤として、例えば二液性エポキシ系の紫外線硬化型接着剤などが挙げられる。
【００５８】
紫外線硬化型接着剤に、波長約３５０〜３８０ｎｍ（ナノメータ）の紫外線が照射されることで、紫外線硬化型接着剤は短時間で硬化する。
【００５９】
本発明の光ピックアップ装置は、図示されたものに限定されるものではない。例えば、「ＨＤ  ＤＶＤ」（High Definition DVD ）系の光ディスクに対応した光ピックアップ装置に、本発明のものを適用させたものも使用可能とされる。また、「Blu-ray Disc」系の光ディスクに対応した光ピックアップ装置に、本発明のものを適用させたものも使用可能とされる。本発明のものは、その要旨を逸脱しない範囲において、種々変更可能とされる。
【図面の簡単な説明】
【００６０】
【図１】本発明に係るピックアップ装置の一実施の形態を示す拡大斜視図である。
【図２】ピックアップ装置を示す平面図である。
【図３】従来のピックアップ装置の一形態を示す斜視図である。
【図４】従来のピックアップ装置を示す平面図である。
【符号の説明】
【００６１】
１        光ピックアップ装置（ピックアップ装置）
２        紫外線硬化型接着剤（接着剤）
５        サーボ機構
１０      光検出器（電子部品）
２０      固定板（固定部材）
２２      切欠き部
５０      対物レンズ（レンズ）
６０      レンズホルダ
１００    ハウジング
１２０    部品取付部
１２４    角部
１２２    蟻溝（溝）
１２２ａ  溝開口部
１２２ｂ  溝底部
１２２ｃ  傾斜溝側部
【図１】
2007042168.tif 000003
【図２】
2007042168.tif 000004
【図３】
2007042168.tif 000005
【図４】
2007042168.tif 000006